(57)【要約】【課題】  取付部の背後空間が狭くともそのロック機構を備えた操作部を操作可能に設置でき、しかもその操作部を構造簡単且つコンパクトで、しかも廉価に提供することにある。【解決手段】  ロック機構１１を、操作部１を取付ける取付部Ａに交差させて配置し、該ロック機構１１を取付部Ａに交差して配置するその手段４１が、支持部５１の外面に設けた押しボタンガイド４１ｃと、該押しボタンガイド４１ｃとで取付部Ａを挟持する収容ケース５１の外面に設けた凸部４１ｂとを備え、押しボタンガイド４１ｃ及び凸部４１ｂの双方またはその一方を支持部５１に対して前後位置調整可能とする。【選択図】図１
2005133331.tif 000002
【特許請求の範囲】
【請求項１】
浴槽、洗面器、流し等の容体の背後空間に配線するレリースに操作部から作動力を付与して排水栓を開閉し、排水栓のロック機構を、前記操作部に設けた遠隔操作型の排水栓装置において、前記ロック機構を、操作部を取付ける取付部と交差させて配置または取付部よりも表側に配置させてあることを特徴とする遠隔操作型の排水栓装置。
【請求項２】
前記ロック機構の支持部を、前記取付部に開孔した取付孔に挿入し且つ取付部に取付けて、操作部を支持していることを特徴とする請求項１記載の遠隔操作型の排水栓装置。
【請求項３】
前記ロック機構の支持部のその取付手段が、前記取付部に開孔した取付孔と、支持部外面に設けた押しボタンガイドと、該押しボタンガイドとで取付部を挟持する支持部の外面に設けた凸部とを備え、前記押しボタンガイド及び凸部の双方またはその一方が支持部に対して前後位置調整可能にしてあることを特徴とする請求項２記載の遠隔操作型の排水栓装置。
【請求項４】
前記ロック機構の支持部の前記取付部に対する取付位置を変更可能にしていることを特徴とする請求項２記載の遠隔操作型の排水栓装置。
【請求項５】
前記押しボタンガイドに、一端を開放した筒状の押しボタンのその開放側を摺動可能に外嵌させてあることを特徴とする請求項３記載の遠隔操作型の排水栓装置。
【請求項６】
前記取付部が、背後空間として２０ｍｍ〜４５ｍｍ有するものであることを特徴とする請求項１〜５いずれか１項記載の遠隔操作型の排水栓装置。
【発明の詳細な説明】
【技術分野】
【０００１】
本発明は、浴槽、洗面器、流し等の容体の背後空間にレリースを配線し、該レリースに操作部から伝達力を付与して容体の底に設けた排水栓を開閉する遠隔操作型の排水栓装置、更に詳しくは排水栓のロック機構を操作部に設けた遠隔操作型の排水栓装置に関するものである。
【背景技術】
【０００２】
従来、浴槽、洗面器、流し等の容体の背後空間を利用してレリースを配線した遠隔操作型の排水栓装置は、取付壁（取付部）に操作筒を吊り下げ状に取付け、該操作筒内に押しボタンを上下動可能に収容し、ロック機構（スラストロック機構）を有する支持部を操作筒底に取付け、該支持部から突出する作動軸を前記押しボタンに接続して、押しボタンの押動の度にロック機構（スラストロック機構）がロックとロック解除を交互に繰り返して、容体底の排水栓を開閉している（例えば、特許文献１参照。）。
【０００３】
しかしながら、特許文献では、ロック機構の支持部が大きく取付壁（取付部）の背後空間に突出するレイアウトになっているため、前記背後空間が狭い時には設置できない。
【特許文献１】特開平１１−２１９６８号
【発明の開示】
【発明が解決しようとする課題】
【０００４】
本発明は上記従来事情に鑑みてなされたもので、その目的とする処は、排水栓のロック機構を操作部に備えた排水栓装置において、取付部の背後空間が狭くともその操作部を操作可能に設置することにある。
他の目的とする処は、その操作部を構造簡単且つコンパクトで、しかも廉価に提供することにある。
【課題を解決するための手段】
【０００５】
前記課題を解決するために講じた技術的手段は、浴槽、洗面器、流し等の容体の背後空間に配線するレリースに操作部から作動力を付与して排水栓を開閉し、排水栓のロック機構を、前記操作部に設けた遠隔操作型の排水栓装置において、前記ロック機構を、操作部を取付ける取付部と交差させて配置または取付部よりも表側に配置させてあることを特徴とする遠隔操作型の排水栓装置である（請求項１）。
ここで、前記ロック機構を、取付部と交差させて配置するとは、ロック機構の一部が完全に取付部に交差することだけではなくロック機構の先端部、後端部が取付部の厚み内に位置するレイアウトをも包含するものである。
また、前記ロック機構を、取付部よりも表側に配置とは、ロック機構を交差させずにその支持部の先端部、後端部を、取付部に交差させたり厚み内に位置させるレイアウトや、支持部に取付部に取り付けるための部分を連設し、その部分を取付部に取り付ける場合も包含するものである。
【０００６】
前記手段によれば、操作部の取付部からの背後空間への突出量を少なくすることができる。そのため、裏の壁等の固定物との間に２０ｍｍ程度の小スペースしか確保できない、例えば洗面器のバックガードが取付部（取付壁）であっても、操作部を設置することができる。
【０００７】
また、ロック機構の支持部を、前記取付部に開孔した取付孔に挿入し且つ取付部に取付けて、操作部を支持する構成を採用すると、好適なものである（請求項２）。
【０００８】
前記手段によれば、取付部に開孔された取付孔に挿入される支持部を取付部に取付けることによって、操作部そのものを支持する。
【０００９】
そして、前記ロック機構の支持部のその取付手段が、前記取付部に開孔した取付孔と、支持部外面に設けた押しボタンガイドと、該押しボタンガイドとで取付部を挟持する支持部の外面に設けた凸部とを備え、前記押しボタンガイド及び凸部の双方またはその一方が支持部に対して前後位置調整可能にしてある、更に好適なものである（請求項３）。
【００１０】
前記手段によれば、ロック機構を取付部に取り付けるその手段の一構成部材となる部材が押しボタンガイドを兼務する。
【００１１】
また、前記ロック機構の支持部の前記取付部に対する取付位置を変更可能にする構成のものであっても良いものである（請求項４）。
【００１２】
更に、押しボタンガイドに、一端を開放した筒状の押しボタンのその開放側を摺動可能に外嵌させてあると、より好適なものとなる（請求項５）。
【発明の効果】
【００１３】
本発明は以上のように、ロック機構を、操作部を取付ける取付部と交差させて配置または取付部よりも表側に配置させて取付部裏への操作部の突出を少なくするので、取付部背後空間が狭い場合であってもロック機構を設けた操作部を設置することができる。
しかも、ロック機構の支持部を取付孔に挿入しその支持部を被取付体として取付部に取付けた構成であるから、中間部材等を介在したり、装設して、その部材を取付手段で取付けた場合等と比較して、部品点数を削減し、構造簡単且つ廉価で、しかも小型の操作部を構成でき、占有スペースを削減する上で有効である。
その上、配置する手段の一構成部材となる部材が押しボタンガイドを兼務するので、構造のより一層の簡素化及び廉価での提供、小型化に寄与することができる。
しかも、ロック機構の支持部の取付部に対する取付位置を変更可能にしていると、その場で背後空間の広狭に合わせてロック機構を設けた操作部を取付でき、非常に便利である。
その上、押しボタンガイドに、一端を開放した筒状の押しボタンのその開放側を摺動可能に外嵌させているため、その押しボタンと押しボタンガイドとがカバー部材になって、支持部から突出する作動軸の摺動クリアランスからの支持部内へのゴミ等の進入を防止した上に、その押しボタンガイドによる押しボタンのガイド機能で傾きのない優れた直進作動性を作動軸に与えて、安定したロック動作を恒久的に維持することができる。
【発明を実施するための最良の形態】
【００１４】
以下、本発明の遠隔操作型の排水栓装置の実施の形態例数例を図１、図２、図３に各々示している。
【実施例１】
【００１５】
まず、図１に示す第１の実施の形態について説明すると、符号１は遠隔操作型の排水栓装置の操作部である。
この実施の形態では、取付部Ａを洗面器のカウンターから一体に立ち上げ形成されたバックガードにしている。
【００１６】
操作部１は、ロック機構１１、レリース２１、押しボタン３１、前記ロック機構１１を取付ける（備える）手段４１を有している。
【００１７】
前記ロック機構１１は、周知のカム機構やスラストロック機構であり、収容ケースからなる支持部（後述では収容ケースとして説明する）５１に収容されており、その収容ケース５１の後端には接続部材６１を介してレリース２１の一端が接続されている。
【００１８】
前記手段４１は、前記収容ケース５１よりも僅かに大径をもって前記バックガードＡに開孔された取付孔４１ａと、前記収容ケース５１の中途部に外側に一体突設した凸部４１ｂと、同収容ケース５１の外面に螺設されたネジ５１ａに螺嵌されて前記凸部４１ｂとでバックガードＡを挟持する前後位置調整可能な押しボタンガイド４１ｃとを備えてなり、前記収容ケース５１を取付孔４１ａに挿し入れ、前側から押しボタンガイド４１ｃをネジ５１ａに螺嵌することによってロック機構１１を収容するケース５１をバックガードＡに交差状に取付けている。
【００１９】
押しボタン３１は、一端を開放した筒状を呈してなり、前記収容ケース５１前端から前方に進退動するロック機構１１の作動軸１１ａに嵌脱可能に取付けてなり、開放側を前記押しボタンガイド４１ｃに摺動可能に外嵌して、該押しボタンガイド４１ｃとで収容ケース５１から突出するその作動軸１１ａの摺動クリアランスから収容ケース５１内へのゴミ等の進入を防止し、押しボタンガイド４１ｃのガイド機能によって前記ロック機構１１を作動させてロック、ロック解除を交互に繰り返してレリース２１にその操作力を伝えるようになっている。
また、前記押しボタン３１の内周面または押しボタンガイド５１ａの内周面に、その軸方向に平行な小突条を突設し、その小突条での線接触で押しボタン３１を摺動可能にしても良いものである。このようにすることによって、軽い力で押しボタン３１を操作でき、操作性が向上する。
【００２０】
以上のように構成されている遠隔操作型の排水栓装置は、ロック機構１１を収容するケース５１をバックガードＡに交差状に取り付けているため、バックガードＡの背後と室壁（固定部）１００との間に２０ｍｍ程度の小スペースしか確保できない場合であっても、操作部１を取付けることができる。
【実施例２】
【００２１】
次に図２に示す第２の実施の形態を説明すると、この実施の形態は、前記手段がロック機構１１を収容するケース５１を、前記取付部であるバックガードＡに対してその取付位置を変更可能にするものである。
【００２２】
その具体的構成は、前記凸部４１ｂをナットにしたものである。
これによって、収容ケース５１のバックガードＡに対する交差位置をその場で任意に変更することができるようになる。
【実施例３】
【００２３】
更に、図３に示す第３の実施の形態を説明すると、この実施の形態は、前記凸部４１ｂをナットとし、そのナット４１ｂと、押しボタンガイド一体型の前記収容ケース５１とで取付部であるバックガードＡを挟持する構成にしてある。
【００２４】
第２、第３の実施の形態において、他の構成は第１の実施の形態と同様であるため、同一符号を付して説明は省略する。
【００２５】
本発明では、取付部の例として洗面器のバックガードを説明しているが、これに限るものではないこと言うまでもないものである。
【図面の簡単な説明】
【００２６】
【図１】第１の実施の形態の使用状態を示す側面断面図で一部切欠して示す。
【図２】第２の実施の形態の使用状態を示す側面断面図。
【図３】第３の実施の形態の使用状態を示す側面断面図。
【符号の説明】
【００２７】
１：操作部                      ２１：レリース
１１：ロック機構                    Ａ：取付部
５１：支持部（収容ケース）      ４１ｃ：押しボタンガイド
５１ａ：ネジ                        ３１：押しボタン
４１ｂ：凸部、ナット              ４１ａ：取付孔
４１：手段
【図１】
2005133331.tif 000003
【図２】
2005133331.tif 000004
【図３】
2005133331.tif 000005